(57)【要約】【課題】簡易な方法で外反母趾を補正することができる外反母趾補正方法および外反母趾補正用履物を提供する。【解決手段】外反母趾補正方法は、履物の足裏面が当接する底部材１の少なくとも母趾外転筋４０の筋腹４０ａに対応する足裏面が当接する部位に、内足側から外足側に向かって下方に傾斜すると共に水平面に対する傾斜角度θが４０〜６０度である傾斜面１１を設け、履物を履いて歩くときに、傾斜面１１で母趾外転筋４０の筋腹４０ａを歩行者の自重により押圧して母趾を内足側に回動させるものである。【選択図】図１
2008200392.tif 000002
【特許請求の範囲】
【請求項１】
履物の足裏面が当接する底部材の少なくとも母趾外転筋の筋腹に対応する前記足裏面が当接する部位に、内足側から外足側に向かって下方に傾斜すると共に水平面に対する傾斜角度が４０〜６０度である傾斜面を設け、
前記履物を履いて歩くときに、前記傾斜面で前記母趾外転筋の筋腹を前記歩行者の自重により押圧して母趾を前記内足側に回動させることを特徴とする外反母趾補正方法。
【請求項２】
履物の足裏面が当接する底部材の少なくとも母趾外転筋の筋腹に対応する前記足裏面が当接する部位に、内足側から外足側に向かって下方に傾斜すると共に水平面に対する傾斜角度が４５〜５０度である傾斜面を設け、
前記履物を履いて歩くときに、前記傾斜面で前記母趾外転筋の筋腹を前記歩行者の自重により押圧して母趾を前記内足側に回動させることを特徴とする外反母趾補正方法。
【請求項３】
足裏面が当接する底部材を少なくとも備え、
前記底部材は、少なくとも母趾外転筋の筋腹に対応する前記足裏面が当接する部位に、内足側から外足側に向かって下方に傾斜すると共に水平面に対する傾斜角度が４０〜６０度である傾斜面が設けられていることを特徴とする外反母趾補正用履物。
【請求項４】
足裏面が当接する底部材を少なくとも備え、
前記底部材は、少なくとも母趾外転筋の筋腹に対応する前記足裏面が当接する部位に、内足側から外足側に向かって下方に傾斜すると共に水平面に対する傾斜角度が４５〜５０度である傾斜面が設けられていることを特徴とする外反母趾補正用履物。
【発明の詳細な説明】
【技術分野】
【０００１】
本発明は、履物の足裏面が当接する底部材の少なくとも母趾外転筋の筋腹に対応する前記足裏面が当接する部位に傾斜面を設け、歩行者の自重により母趾外転筋の筋腹を押圧して母趾を内足側に回動させる外反母趾補正方法および外反母趾補正用履物に関する。
【背景技術】
【０００２】
従来、外反母趾を予防等する履物として、例えば、足裏面の土踏まず部に土踏まずを支持する支持用凸部を設けて歩行の際の足裏にかかる衝撃を吸収し、親指への負担を低減させるものなどがあった（例えば、特許文献１の図１参照）。
【特許文献１】特開平９−１４０４０５号公報
【発明の開示】
【発明が解決しようとする課題】
【０００３】
しかしながら、土踏まず部に支持用凸部を設けるものにあっては、親指への負担は低減されるため外反母趾にはなり難いものの、強制的に母趾の移動を伴う補正ではないため、既に外反した母趾に対してはその効果が弱いという問題点があった。
【０００４】
本発明は、上述した問題点を解決するためになされたものである。
【課題を解決するための手段】
【０００５】
請求項１に係る発明は、履物の足裏面が当接する底部材の少なくとも母趾外転筋の筋腹に対応する前記足裏面が当接する部位に、内足側から外足側に向かって下方に傾斜すると共に水平面に対する傾斜角度が４０〜６０度である傾斜面を設け、
前記履物を履いて歩くときに、前記傾斜面で前記母趾外転筋の筋腹を前記歩行者の自重により押圧して母趾を前記内足側に回動させる外反母趾補正方法である。
【０００６】
請求項２に係る発明は、履物の足裏面が当接する底部材の少なくとも母趾外転筋の筋腹に対応する前記足裏面が当接する部位に、内足側から外足側に向かって下方に傾斜すると共に水平面に対する傾斜角度が４５〜５０度である傾斜面を設け、
前記履物を履いて歩くときに、前記傾斜面で前記母趾外転筋の筋腹を前記歩行者の自重により押圧して母趾を前記内足側に回動させる外反母趾補正方法である。
【０００７】
請求項３に係る発明は、足裏面が当接する底部材を少なくとも備え、
前記底部材は、少なくとも母趾外転筋の筋腹に対応する前記足裏面が当接する部位に、内足側から外足側に向かって下方に傾斜すると共に水平面に対する傾斜角度が４０〜６０度である傾斜面が設けられている外反母趾補正用履物である。
【０００８】
請求項４に係る発明は、足裏面が当接する底部材を少なくとも備え、
前記底部材は、少なくとも母趾外転筋の筋腹に対応する前記足裏面が当接する部位に、内足側から外足側に向かって下方に傾斜すると共に水平面に対する傾斜角度が４５〜５０度である傾斜面が設けられている外反母趾補正用履物である。
【発明の効果】
【０００９】
請求項１に記載の外反母趾補正方法によれば、履物の足裏面が当接する底部材の少なくとも母趾外転筋の筋腹に対応する足裏面が当接する部位に、内足側から外足側に向かって下方に傾斜すると共に水平面に対する傾斜角度が４０〜６０度である傾斜面を設け、履物を履いて歩くときに、傾斜面で母趾外転筋の筋腹を歩行者の自重により押圧して母趾を内足側に回動させるため、この傾斜面を設けた履物を履いて歩くという簡易な方法で母趾外転筋の筋腹を押圧して母趾を内足側に引っ張ることができ、外反母趾を補正することができる。
【００１０】
請求項２に記載の外反母趾補正方法によれば、履物の足裏面が当接する底部材の少なくとも母趾外転筋の筋腹に対応する足裏面が当接する部位に、内足側から外足側に向かって下方に傾斜すると共に水平面に対する傾斜角度が４５〜５０度である傾斜面を設け、履物を履いて歩くときに、傾斜面で母趾外転筋の筋腹を前記歩行者の自重により押圧して母趾を内足側に回動させるため、この傾斜面を設けた履物を履いて歩くという簡易な方法で母趾外転筋の筋腹を確実かつより効果的に押圧して母趾を内足側に引っ張ることができ、外反母趾を補正することができる。
【００１１】
請求項３に記載の外反母趾補正用履物によれば、足裏面が当接する底部材を少なくとも備え、底部材は、少なくとも母趾外転筋の筋腹に対応する足裏面が当接する部位に、内足側から外足側に向かって下方に傾斜すると共に水平面に対する傾斜角度が４０〜６０度である傾斜面が設けられているため、外反母趾補正用履物を履いて歩くとき、底部材の傾斜面を足裏面の母趾外転筋の筋腹に沿うように当接させることができ、足裏面にかかった歩行者の自重により傾斜面で母趾外転筋の筋腹を押圧して母趾を内足側に引っ張ることができ、外反母趾を補正することができる。
【００１２】
請求項４に記載の外反母趾補正用履物によれば、足裏面が当接する底部材を少なくとも備え、底部材は、少なくとも母趾外転筋の筋腹に対応する足裏面が当接する部位に、内足側から外足側に向かって下方に傾斜すると共に水平面に対する傾斜角度が４５〜５０度である傾斜面が設けられているため、外反母趾補正用履物を履いて歩くとき、底部材の傾斜面を足裏面の母趾外転筋の筋腹に沿うように当接させることができ、足裏面にかかった歩行者の自重により傾斜面で母趾外転筋の筋腹を確実かつより効果的に押圧して母趾を内足側に引っ張ることができ、外反母趾を補正することができる。
【発明を実施するための最良の形態】
【００１３】
本発明の実施例を、サンダルを例にとって、図１〜図７に基づき説明する。Ａは外反母趾補正用履物で、外反母趾補正用履物Ａは、概略的に底部材１とアウトソール２と甲被部材３とにより構成される。
【００１４】
底部材１は履物の足裏面が当接する部材であり、底部材１は、少なくとも母趾外転筋４０（図４参照）の筋腹４０ａ（紡錘状筋の起始、付着の中間部の太い部分）に対応する足裏面が当接する部位に、図３（ｂ）に示したように、内足側ｆから外足側ｇに向かって下方に傾斜する傾斜面１１が設けられている。なお、底部材１は、通常、履物の中底であるが、この中底の上面をシート状の化粧材料で被覆したものや、中底とは別体としたカップインソールのような既製の履物に着脱可能に装着するものであっても構わない。この底部材１は傾斜面１１の形状を維持できるように、強度の高い材料、例えば、ＥＶＡ（エチレン酢酸ビニル共重合体）樹脂発泡体、発泡ポリウレタン樹脂、ＡＢＳ樹脂、アルミニウム等の金属材料などが用いられる。
【００１５】
前述の傾斜面１１は、図５（便宜上、足４は、母趾外転筋４０、舟状骨４１および立方骨４４のみを図示）に示したように、母趾外転筋４０の筋腹４０ａに対応する足裏面４ａに当接する部位に設けられ、外反母趾補正用履物Ａを履いたときに歩行者の自重により傾斜面１１が筋腹４０ａを押圧するものである。この傾斜面１１は、水平面に対する傾斜角度θが４０〜６０度となるように設けられる。
【００１６】
ここで、傾斜面１１の傾斜角度θを４０〜６０度としたのは、母趾外転筋４０の筋腹４０ａに対応する足裏面４ａを、傾斜面１１に沿って当接させるためである。この傾斜角度θが４０度よりも小さいと、図６（ａ）（便宜上、足４は、母趾外転筋４０、舟状骨４１および立方骨４４のみを図示）に示したように、傾斜面１１と母趾外転筋４０の筋腹４０ａとが当接せずに離間して隙間Ｓが生じ、筋腹４０ａを押圧するのが困難となり、傾斜角度θが６０度よりも大きいと、図６（ｂ）（便宜上、足４は、母趾外転筋４０、舟状骨４１および立方骨４４のみを図示）に示したように、足４が矢印ｄの方向に押されてしまい、足裏面がずれて底部材１上に固定するのが困難になると共に傾斜角度θが急峻になるにつれて母趾外転筋４０の筋腹４０ａを押圧する力が減少してしまい、外反母趾を補正するという効果が得られ難くなるからである。母趾外転筋４０の筋腹４０ａに対応する足裏面４ａを、より効果的に傾斜面１１に当接させるためには、傾斜面１１の傾斜角度θを４５〜５０度の範囲に設けるのが好ましい。
【００１７】
ところで、図３（ａ）に示したように、底部材１のつま先が当接するつま先部１ａは、外反母趾補正用履物Ａの長手方向と直交する方向において、略水平形状に形成させてもよい。つま先部１ａを略水平形状にすることで母趾（足の第一指）を水平方向に自由に移動させることができ、母趾が内足側に回動して補正し易くなるためである。
【００１８】
アウトソール２は、外反母趾補正用履物Ａが地面等に接地したときに接地面の凹凸などによる衝撃を直接足に受けないように緩衝作用を持たせるものであり、図３（ａ）〜図３（ｃ）に示したように底部材１の下方に設けられ、底部材１に接着剤により接着等して固着される。このアウトソール２はＥＶＡ樹脂発泡体、発泡ポリウレタン樹脂などの公知の材料が用いられる。
【００１９】
甲被部材３は、足の甲に係合して足を底部材１に固定するものであり、例えば、図３（ｂ）に示したように、甲被部材３の両端を底部材１とアウトソール２の間に挟んで接着剤などにより固着される。この甲被部材３は、図１に示したサンダルのように甲の略全面を覆うものであったり、パンプスのようにつま先部を局所的に覆うものであってもよい。なお、甲被部材３にはポリエステル、発泡ポリウレタン、本革、人工皮革などの公知の材料が用いられる。
【００２０】
次に、本発明の作用について説明する。歩行者が外反母趾補正用履物Ａを履いたとき、図５に示したように、母趾外転筋４０の筋腹４０ａに対応する足裏面４ａが底部材１の傾斜面１１に当接し、歩行者の自重により足裏面４ａが傾斜面１１を押圧する反作用で該傾斜面１１が足裏面４ａを矢印ｂの方向に押し返す。このとき、母趾外転筋４０は、図４に示したように、長手方向の一端が母趾となる第１基節骨４５の内足側に、他端が踵の踵骨４３に付着しており、筋腹４０ａは母趾外転筋４０の中間に位置しているため、筋腹４０ａが押圧されると、図７（ａ）に示したように、該筋腹４０ａは舟状骨４１などの足の骨に押し付けられ、母趾外転筋４０と第１基節骨４５との付着部４０ｂは矢印ｃの方向に引っ張られる。そして、つま先側に位置している第１基節骨４５は、第一中足骨４６との接点ｈを支軸として内足側（図７（ａ）の矢印ｅ側）に向かって回動し、図７（ｂ）に示したように、外反していた母趾が向きを変えて正常な位置に戻り、外反母趾が補正される。
【００２１】
したがって、本発明にあっては、外反母趾補正用履物Ａを履いて歩くという簡易な動作で、傾斜面１１で母趾外転筋４０の筋腹４０ａを歩行者の自重により押圧して強制的に母趾を内足側に引っ張って回動させることができ、外反母趾を補正することができる。
【００２２】
なお、上述した実施例では、サンダルを用いた例について説明したが、本発明はサンダルに限られるものではなく、スニーカー、ブーツなど各種の履物に用いることができる。
【図面の簡単な説明】
【００２３】
【図１】本発明の実施例の履物の一部を切断した斜視図である。
【図２】図１の底部材の平面図である。
【図３】図２の縦断面図であり、図３（ａ）は図２のＶ−Ｖ線で切断した図を、図３（ｂ）は図２のＷ−Ｗ線で切断した図を、図３（ｃ）は図２のＸ−Ｘ線で切断した図をそれぞれ示している。
【図４】足の骨と母趾外転筋の位置関係を説明するための図である。
【図５】図３（ｂ）の履物を履いたときの略縦断面図である。
【図６】図５の傾斜面の角度を変えたときの略縦断面図であり、図６（ａ）は傾斜角度θが４０度未満であるときの図を、図６（ｂ）は傾斜角度θが６０度より大きいときの図をそれぞれ示している。
【図７】図１の履物の作用を説明するための図であり、足裏面側から見た足の骨および母趾外転筋の関係を示している。
【符号の説明】
【００２４】
Ａ      外反母趾補正用履物
１      底部材
２      アウトソール
３      甲被部材
４０    母趾外転筋
４０ａ  筋腹
【図１】
2008200392.tif 000003
【図２】
2008200392.tif 000004
【図３】
2008200392.tif 000005
【図４】
2008200392.tif 000006
【図５】
2008200392.tif 000007
【図６】
2008200392.tif 000008
【図７】
2008200392.tif 000009